(57)【特許請求の範囲】
【請求項１】
一の方向に屈曲する両端部を有して成る継鉄と、前記継鉄における両端部間の中央部に巻回されるコイル部と、前記継鉄の両端部間に配置される永久磁石と、前記継鉄の両端部間の長さよりも長めに形成され、前記永久磁石に対して前記一の方向側に配置される接極子と、前記継鉄の両端部に対してそれぞれ前記接極子の両端側を揺動自在にして、前記永久磁石および接極子を一体に固定するヒンジバネとを備え、前記永久磁石と前記接極子との間に突部が設けられ、前記継鉄の両端部間の長さと同程度の長さの板状に形成されて成り、前記永久磁石に対して前記一の方向と逆の方向側に配置される補助継鉄を備え、前記永久磁石は前記継鉄の両端部間の長さよりも短い板状に形成され、前記接極子は、板状に形成され、前記永久磁石との対向面に前記突部を有し、前記ヒンジバネは、前記接極子における前記一の方向側の面に取着される中央部と、この中央部から前記一の方向と逆の方向に延びて前記補助継鉄の両側面にそれぞれ取着されるとともに前記永久磁石を狭持する両側部とを有する形状に形成され、前記永久磁石、接極子および補助継鉄は前記ヒンジバネにより一体に固定される電磁リレー。
【請求項２】
一の方向に屈曲する両端部を有して成る継鉄と、前記継鉄における両端部間の中央部に巻回されるコイル部と、前記継鉄の両端部間に配置される永久磁石と、前記継鉄の両端部間の長さよりも長めに形成され、前記永久磁石に対して前記一の方向側に配置される接極子と、前記継鉄の両端部に対してそれぞれ前記接極子の両端側を揺動自在にして、前記永久磁石および接極子を一体に固定するヒンジバネとを備え、前記永久磁石と前記接極子との間に突部が設けられ、前記継鉄の両端部間の長さと同程度の長さの板状に形成されて成り、前記永久磁石に対して前記一の方向と逆の方向側に配置される補助継鉄を備え、前記永久磁石は前記継鉄の両端部間の長さよりも短い板状に形成され、前記接極子は、板状に形成され、前記永久磁石との対向面に前記突部を有し、前記ヒンジバネは、前記接極子における前記一の方向と逆の方向側の面に取着される中央部と、この中央部から前記逆の方向に延びて前記補助継鉄の両側面にそれぞれ取着されるとともに前記永久磁石を挟持する両側部とを有する形状に形成され、前記永久磁石、接極子および補助継鉄は前記ヒンジバネにより一体に固定される電磁リレー。
【請求項３】
ボディおよびカバーにより成る器体を備え、前記補助継鉄は前記ボディとの固定部を有する請求項１または２記載の電磁リレー。
【請求項４】
前記固定部は複数の突起であり、前記ボディには前記各突起が嵌入される溝が形成されている請求項３記載の電磁リレー。
【請求項５】
固定側端子、この固定側端子に締結される板バネ、およびこの板バネに設けられる固定接点により成る固定接点バネブロックと、可動側端子、この可動側端子に締結される板バネ、およびこの板バネに設けられる可動接点により成る可動接点バネブロックと、前記接極子および可動接点バネブロックの双方に取り付けられ、前記接極子の揺動に応じて前記固定接点および可動接点の接離を行うためのカードとを備える請求項１〜４のいずれかに記載の電磁リレー。
【発明の詳細な説明】
【０００１】
【発明の属する技術分野】
本発明は、継鉄、これに巻回されるコイル部、継鉄に対して揺動自在に設けられる接極子、この接極子の揺動に応じて接離状態になる可動接点および固定接点などにより構成される電磁リレーに関するものである。
【０００２】
【従来の技術】
図９はこのような従来の電磁リレーを示す一部切欠斜視図、図１０は図９に示す接極子ブロックの平面図、図１１は図９に示す電磁石ブロックおよび接極子ブロックの平面図である。
【０００３】
図９に示す電磁リレーは、固定接点バネブロック９１と、可動接点バネブロック９２と、継鉄９３１、ボビン（コイルボビン）９３２、コイル部９３３およびコイル端子９３４により成る電磁石ブロック（コイルブロック）９３と、永久磁石９４１、一対の接極子９４２およびこれらを一体に固定する成形部材９４３により成る接極子ブロック９４と（図１０参照）、カード９５と、ボディ９６１および図略のカバーにより構成される器体とを備えている。
【０００４】
上記構成の電磁リレーにおける接極子ブロック９４は、図１０に示すように、一対の接極子９４２の間に永久磁石９４１を挟み、それらの周りを樹脂製の成形部材９４３で囲む構造になっており、成形部材９４３にはレバー９４３ａおよび支点９４３ｂが設けられている。そして、図１１に示すように、一対の接極子９４２の間に継鉄９３１の両端部が入り込むように、電磁石ブロック９３および接極子ブロック９４が配置され、支点９４３ｂにより接極子ブロック９４とボディ９６１との位置決めがなされる。なお、ボディ９６１には支点受け９６１ａが設けられている（図９参照）。
【０００５】
一方、固定接点バネブロック９１および可動接点バネブロック９２の各接点の開閉は、接極子ブロック９４が支点９４３ｂを中心に回動し、これに応じて、接極子ブロック９４のレバー９４３ａと可動接点バネブロック９２との間に設けられたカード９５を介して、レバー９４３ａが可動接点バネブロック９２を駆動することにより行われる。
【０００６】
【発明が解決しようとする課題】
上記従来の電磁リレーでは、図１１に示したように、両接極子９４２を磁極位置Ｂ１，Ｂ２で継鉄９３１の両端部に確実に吸着させれば、耐衝撃性に優れた磁気回路を構成することができる。
【０００７】
しかしながら、上記構造では、接極子ブロック９４が磁極位置Ｂ１，Ｂ２および支点９４３ｂの３点で位置決めされるため、部品寸法のばらつきなどで、図１２に示すように、磁極位置Ｂ１，Ｂ２のいずれかで（図１２の例ではＢ２側）、継鉄９３１の端部と接極子ブロック９４の接極子９４２との間に隙間が生じ、この結果、磁気特性の変動が大きくなり、耐衝撃性が劣化してしまう。また、感度調整が非常に難しくなる。
【０００８】
本発明は、上記事情に鑑みてなされたものであり、磁気特性の変動が小さくなり、耐衝撃性が向上し、感度調整が容易な電磁リレーを提供することを目的とする。
【０００９】
【課題を解決するための手段】
上記課題を解決するために請求項１記載の発明の電磁リレーは、一の方向に屈曲する両端部を有して成る継鉄と、前記継鉄における両端部間の中央部に巻回されるコイル部と、前記継鉄の両端部間に配置される永久磁石と、前記継鉄の両端部間の長さよりも長めに形成され、前記永久磁石に対して前記一の方向側に配置される接極子と、前記継鉄の両端部に対してそれぞれ前記接極子の両端側を揺動自在にして、前記永久磁石および接極子を一体に固定するヒンジバネとを備え、前記永久磁石と前記接極子との間に突部が設けられ、前記継鉄の両端部間の長さと同程度の長さの板状に形成されて成り、前記永久磁石に対して前記一の方向と逆の方向側に配置される補助継鉄を備え、前記永久磁石は前記継鉄の両端部間の長さよりも短い板状に形成され、前記接極子は、板状に形成され、前記永久磁石との対向面に前記突部を有し、前記ヒンジバネは、前記接極子における前記一の方向側の面に取着される中央部と、この中央部から前記一の方向と逆の方向に延びて前記補助継鉄の両側面にそれぞれ取着されるとともに前記永久磁石を狭持する両側部とを有する形状に形成され、前記永久磁石、接極子および補助継鉄は前記ヒンジバネにより一体に固定されるのである。
【００１０】
この構成では、接極子の位置が突部とどちらか一方の磁極位置との２点で決まるので、不要な隙間が生じなくなって磁気ギャップが生じなくなる。この結果、磁気特性の変動が小さくなり、耐衝撃性が向上する。また、感度調整が容易になる。
【００１１】
また、一の方向に屈曲する両端部を有して成る継鉄と、前記継鉄における両端部間の中央部に巻回されるコイル部と、前記継鉄の両端部間に配置される永久磁石と、前記継鉄の両端部間の長さよりも長めに形成され、前記永久磁石に対して前記一の方向側に配置される接極子と、前記継鉄の両端部に対してそれぞれ前記接極子の両端側を揺動自在にして、前記永久磁石および接極子を一体に固定するヒンジバネとを備え、前記永久磁石と前記接極子との間に突部が設けられ、前記継鉄の両端部間の長さと同程度の長さの板状に形成されて成り、前記永久磁石に対して前記一の方向と逆の方向側に配置される補助継鉄を備え、前記永久磁石は前記継鉄の両端部間の長さよりも短い板状に形成され、前記接極子は、板状に形成され、前記永久磁石との対向面に前記突部を有し、前記ヒンジバネは、前記接極子における前記一の方向と逆の方向側の面に取着される中央部と、この中央部から前記逆の方向に延びて前記補助継鉄の両側面にそれぞれ取着されるとともに前記永久磁石を狭持する両側部とを有する形状に形成され、前記永久磁石、接極子および補助継鉄は前記ヒンジバネにより一体に固定される構成でもよい（請求項２）。この構成によれば、磁気特性の変動が小さくなり、耐衝撃性が向上する。また、感度調整が容易になる。さらに、永久磁石、接極子および補助継鉄をヒンジバネにより一体に固定して成る接極子ブロックにおける揺動による摩耗を好適に防止することができる。
【００１２】
また、請求項１または２記載の電磁リレーにおいて、ボディおよびカバーにより成る器体を備え、前記補助継鉄は前記ボディとの固定部を有する構成でもよい（請求項３）。この構成によれば、組立てが容易になる。
【００１３】
また、請求項３記載の電磁リレーにおいて、前記固定部は複数の突起であり、前記ボディには前記各突起が嵌入される溝が形成されている構成でもよい（請求項４）。この構成によれば、組立てが容易になる。
【００１４】
さらに、請求項１〜４のいずれかに記載の電磁リレーにおいて、固定側端子、この固定側端子に締結される板バネ、およびこの板バネに設けられる固定接点により成る固定接点バネブロックと、可動側端子、この可動側端子に締結される板バネ、およびこの板バネに設けられる可動接点により成る可動接点バネブロックと、前記接極子および可動接点バネブロックの双方に取り付けられ、前記接極子の揺動に応じて前記固定接点および可動接点の接離を行うためのカードとを備える構成でもよい（請求項５）。この構成によれば、磁気特性の変動が小さくなり、耐衝撃性が向上する。また、感度調整が容易になる。
【００１５】
【発明の実施の形態】
図１は本発明の第１実施形態に係る電磁リレーの一部切欠斜視図、図２は図１に示す固定接点バネブロック、可動接点バネブロック、継鉄およびカードの斜視図、図３は図１に示す接極子ブロックの組立および分解斜視図、図４は図１に示す電磁石ブロックおよび接極子ブロックを前方および右方から見た図、図５は図１の一部前面図およびそのＡ−Ａ線断面図で、これらの図を用いて以下に第１実施形態の説明を行う。なお、図４（ａ）において、Ｂは磁極位置を示し、Ｃは回転中心を示す。また、図４（ｂ）のヒンジバネにおけるＤはねじれ部分を示す。
【００１６】
図１に示す電磁リレーは、いわゆるラッチ型に属し、大別すると、固定接点バネブロック１１と、可動接点バネブロック１２と、電磁石ブロック１３と、接極子ブロック１４と、カード１５と、これら各部品を内部に収納する器体１６とを備えている。
【００１７】
固定接点バネブロック１１は、図２（ａ）に示すように、金属板を屈曲して成る固定側端子１１１と、この固定側端子１１１の上端にリベットで下端が締結される金属製の板バネ１１２と、この板バネ１１２の上部に固着される金属製の固定接点とにより構成される。ただし、固定接点は、板バネ１１２の左側の面（図２（ａ）では背面）に形成された有底で円筒状の溝に固着され、接点部が左方に突出している。
【００１８】
可動接点バネブロック１２は、図２（ｂ）に示すように、金属板により成る可動側端子１２１と、この可動側端子１２１の上端にリベットで下端が締結される金属製の板バネ１２２と、この板バネ１２２の上部に固着される金属製の可動接点１２３とにより構成されている。また、板バネ１２２の上端にはカード１５装着用の突片１２２ａが上方に突設されている。
【００１９】
電磁石ブロック１３は、図１に示すように、右方に屈曲するＴ字状の両端部１３１ａを有する形状に形成される継鉄１３１と（図２（ｃ）参照）、樹脂製のボビン１３２と、このボビン１３２を介して継鉄１３１における両端部１３１ａ間の中央部にコイル電線を巻回して成るコイル部１３３と、ボビン１３２の下端側に一体に固着され、コイル部１３３の両端がそれぞれ接続（例えば半田接続）される一対のコイル端子１３４とにより構成されている。また、ボビン１３２の後面側には、継鉄１３１挿入用の溝（図示せず）が形成されている。
【００２０】
ここで、電磁石ブロック１３の製造手順を説明すると、まず、ボビン１３２の上記溝に継鉄１３１を挿入し、コイル電線をボビン１３２に巻回してコイル部１３３を設け、続いて、コイル部１３３の両端を一対のコイル端子１３４にそれぞれ接続する。これにより、電磁石ブロック１３が得られる。
【００２１】
接極子ブロック１４は、図１および図３に示すように、永久磁石１４１、接極子１４２、補助継鉄１４３およびヒンジバネ１４４により構成されている。
【００２２】
永久磁石１４１は、図４（ａ）に示すように、上下方向の長さが継鉄１３１の両端部１３１ａ間の長さよりも短い板状（図３（ｂ）の例では直方体）に形成され、右面側が継鉄１３１の両端部１３１ａよりも右方に若干突出するように配置される。また、永久磁石１４１は、本電磁リレーの組立ての前／後に、右面側がＳ極となり左面側がＮ極となるように、または右面側がＮ極となり左面側がＳ極となるように着磁される。例えば、本電磁リレーの組立後に永久磁石１４１を着磁すれば、本電磁リレー内部への鉄粉などの付着および混入を防止することができる。
【００２３】
接極子１４２は、上下方向の長さが継鉄１３１の両端部１３１ａ間の長さよりも長い板状に形成され、図３（ｂ）に示すように、上端に突設されたカード１５装着用の突部１４２ａと、左面中央に突設された突部１４２ｂと（図４（ａ）参照）、リベット締結用であって右面における上下側にそれぞれ突設された一対の軸部１４２ｃとを有し、図４に示すように、永久磁石１４１に対して右側に配置される。
【００２４】
補助継鉄１４３は、上下方向の長さが継鉄１３１の両端部１３１ａ間の長さと同程度で若干短い長さの板状に形成され、図３（ｂ）に示すように、ヒンジバネ１４４の固定用であって前方および後方の各側壁中央に突設された突起１４３ａと、当該補助継鉄１４３を器体１６に固定するためのものであって後方の側壁の両端側にそれぞれ突設された一対の突起１４３ｂと、左右方向に貫通された２つの孔１４３ｃとを有し、図４（ａ）に示すように、永久磁石１４１に対して左側に配置される。
【００２５】
ヒンジバネ１４４は、永久磁石１４１、接極子１４２および補助継鉄１４３を一体に固定するもので、弾性を有する薄手の金属板により形成され、図３（ｂ）に示すように、前後上下に伸びるクロス状に形成され接極子１４２の右面に取着される中央部１４４ａと、上下左右に伸びるクロス状に形成され中央部１４４ａの前後端からそれぞれ左方に延びて補助継鉄１４３の前後両側面に取着される両側部１４４ｂとを有している。また、中央部１４４ａの上下に伸びる各部には、接極子１４２の軸部１４２ｃが挿入される孔１４４ｄが穿設されている。また、各側部１４４ｂの左方に伸びる部分には、補助継鉄１４３の突起１４３ａが嵌入される孔１４４ｅが穿設されている。さらに、各側部１４４ｂの上下端には、永久磁石１４１の上下動を阻止するための突片１４４ｆが形成されている。
【００２６】
ここで、接極子ブロック１４の組立手順を説明する。まず、ヒンジバネ１４４の各孔１４４ｄに、接極子１４２の対応する軸部１４２ｃを挿入し、続いて、各軸部１４２ｃの先端側をかしめる。これにより、接極子１４２とヒンジバネ１４４とが締結される。この後、永久磁石１４１を両側部１４４ｂで狭持させ、続いて、ヒンジバネ１４４の各孔１４４ｅに、補助継鉄１４３の対応する突起１４３ａを嵌入する。これにより、永久磁石１４１、接極子１４２および補助継鉄１４３をヒンジバネ１４４で一体に固定した接極子ブロック１４が得られる。
【００２７】
カード１５は、図２（ｄ）に示すように、樹脂などにより板状に形成され、可動接点バネブロック１２の突片１２２ａの嵌入用であって右端側に穿設された孔１５ａと、接極子１４２の突部１４２ａの嵌入用であって左端側に穿設された孔１５ｂと、左右方向に伸びる孔１５ｃとを有している。
【００２８】
器体１６は、図１に示すように、樹脂製のボディ１６１およびカバー１６２により構成される。ボディ１６１は、固定接点バネブロック１１および可動接点バネブロック１２を収納固定するためのものであって右側の部分から前方に突設された隔壁１６１ａ〜１６１ｅと、補助継鉄１４３の各突起１４３ｂが嵌入される溝１６１ｆと（図５（ｂ）参照）、継鉄１３１の各端部１３１ａの下端側が嵌入される溝１６１ｇと（図５（ｂ）参照）、カード１５の孔１５ｃに挿入してカード１５の左右方向の動きを規制するものであって隔壁１６１ｅの上面に突設された突部（図示せず）と、電磁石ブロック１３の一対のコイル端子１３４が挿通される一対の孔（図示せず）とを有している。ここで、嵌入用の溝１６１ｆおよび溝１６１ｇを設け、それぞれを例えば突起１４３ｂおよび端部１３１ａの嵌入部分の外形に対応する形状に形成することで、電磁石ブロック１３と接極子ブロック１４との配置関係を所定の精度で管理することができる。一方、カバー１６２は、ボディ１６１の前面側を閉塞する箱状に形成されている。
【００２９】
次に、このように構成される電磁リレーの組立手順の一例を説明する。まず、固定接点バネブロック１１および可動接点バネブロック１２をボディ１６１の所定位置に収納固定する。このとき、さらに接着剤を使用するのが望ましい。
【００３０】
この後、接極子ブロック１４の各突起１４３ｂをボディ１６１の対応する溝１６１ｆに嵌入して、接極子ブロック１４をボディ１６１に固定する。このとき、さらに接着剤を使用するのが望ましい。
【００３１】
この後、電磁石ブロック１３の各コイル端子１３４をボディ１６１の対応する孔に挿入し、続いて、継鉄１３１の各端部１３１ａの下端側を対応する溝１６１ｇに嵌入して、電磁石ブロック１３をボディ１６１に固定する。このとき、さらに接着剤を使用するのが望ましい。
【００３２】
この後、カード１５の孔１５ａおよび１５ｂにそれぞれ可動接点バネブロック１２の突片１２２ａおよび接極子１４２の突部１４２ａを嵌入する。続いて、ボディ１６１にカバー１６２を被せて固定すれば、本電磁リレーが得られる。
【００３３】
このようにして組み立てられた本電磁リレーでは、図４（ａ）に示すように、接極子１４２の位置が突部１４２ｂと磁極位置（図４（ａ）の例ではＢ）との２点で決まるので、不要な隙間が生じなくなって磁気ギャップが生じなくなる。これにより、磁気特性の変動が小さくなり、耐衝撃性が向上する。また、感度調整が容易になる。
【００３４】
さらに、接極子ブロック１４を一体構造にしたことに加えて、補助継鉄１４３に、磁束を流すための磁路の機能以外に、接極子ブロック１４をボディ１６１に固定するための突起１４３ｂを設けたことにより、電磁リレーの組立てが容易になる。
【００３５】
なお、第１実施形態では、補助継鉄にヒンジバネを取り付けるために、補助継鉄１４３に一対の突起１４３ａが設けられる構造になっているが、例えば、突起１４３ａを設けずに、補助継鉄にヒンジバネを取り付けるための別の構造を採用しても構わない。この構造例を図６に示す。この図６において、補助継鉄２４３は、突起１４３ａが除去されている以外は補助継鉄１４３と同様の形状に形成されている。一方、ヒンジバネ２４４は、各孔１４４ｅの左方に、補助継鉄２４３との係止突起２４４ｇが形成されている以外はヒンジバネ１４４と同様の形状に形成されている。
【００３６】
図７は本発明の第２実施形態に係る電磁リレーにおける電磁石ブロックおよび接極子ブロックを前方および右方から見た図、図８は図７のヒンジバネを前方および右方から見た図で、これら図を用いて以下に第２実施形態の説明を行う。なお、図７（ａ）のＥは回転中心を示す。
【００３７】
本電磁リレーは、固定接点バネブロック１１、可動接点バネブロック１２、電磁石ブロック１３、カード１５および器体１６を第１実施形態と同様に備えるほか、第１実施形態との相違点として接極子ブロック４４を備える。
【００３８】
この接極子ブロック４４は、図７に示すように、第１実施形態と同様の永久磁石１４１および補助継鉄１４３と、第１実施形態と異なる接極子４４２およびヒンジバネ４４４とにより構成されている。
【００３９】
接極子４４２は、上下方向の長さが継鉄１３１の両端部１３１ａ間の長さよりも長い板状に形成され、突部１４２ａおよび突部１４２ｂを第１実施形態と同様に有しているほか、リベット締結用であって左面における上下側にそれぞれ突設された一対の軸部４４２ｃを第１実施形態との相違点として有し、永久磁石１４１に対して右側に配置される。
【００４０】
ヒンジバネ４４４は、永久磁石１４１、接極子４４２および補助継鉄１４３を一体に固定するもので、弾性を有する薄手の金属板により形成され、図８に示すように、前後上下に伸びるクロス状に形成され接極子４４２の左面に取着される中央部４４４ａと、この中央部４４４ａの前後端からそれぞれ左方に延びて補助継鉄１４３の前後両側面に取着されるＴ字状の両側部４４４ｂとを有している。また、中央部４４４ａの上下に伸びる各部には、接極子４４２の軸部４４２ｃが挿入される孔４４４ｄが穿設されている。また、各側部４４４ｂには、補助継鉄１４３の突起１４３ａが嵌入される孔４４４ｅが穿設されている。さらに、各側部４４４ｂの上下端には、永久磁石１４１の上下動を阻止するための突片４４４ｆが形成されている。
【００４１】
ここで、接極子ブロック４４の組立手順を説明する。まず、ヒンジバネ４４４の各孔４４４ｄに、接極子４４２の対応する軸部４４２ｃを挿入し、続いて、各軸部４４２ｃの先端側をかしめる。これにより、接極子４４２とヒンジバネ４４４とが締結される。この後、永久磁石１４１を両側部４４４ｂで狭持させ、続いて、ヒンジバネ４４４の各孔４４４ｅに、補助継鉄１４３の対応する突起１４３ａを嵌入する。これにより、永久磁石１４１、接極子４４２および補助継鉄１４３をヒンジバネ４４４で一体に固定した接極子ブロック４４が得られる。
【００４２】
このように構成される電磁リレーは第１実施形態と同様の手順で組み立てられる。また、本電磁リレーにおいても、接極子４４２の位置が突部１４２ｂとどちらか一方の磁極位置との２点で決まるので、不要な隙間が生じなくなって磁気ギャップが生じなくなる。これにより、磁気特性の変動が小さくなり、耐衝撃性が向上する。また、感度調整が容易になる。
【００４３】
さらに、接極子ブロック４４における揺動による摩耗を好適に防止することができる。第１実施形態では、図４に示すように、ヒンジバネ１４４がねじれ部分Ｄでねじれることにより、接極子１４２の回転運動を作り出しているが、回転中心Ｃと突部１４２ｂとが高さ方向（左右方向）にずれているので、接極子１４２の突部１４２ｂが永久磁石１４１上で滑り運動を行う。このため、接極子１４２の突部１４２ｂと永久磁石１４１との間の摩擦が大きくなり、それら双方が摩耗しやすくなる。これに対して、第２実施形態では、図７に示すように、接極子４４２の回転中心Ｅと接極子４４２の突部１４２ｂとの高さ方向のずれがほとんどないので、接極子４４２の突部１４２ｂがヒンジバネ４４４または永久磁石１４１上でころがり運動を行う。これにより、接極子４４２の突部１４２ｂとヒンジバネ４４４または永久磁石１４１との間に生じる摩擦力が小さくなり、それらの摩耗を防止することができる。
【００４４】
【発明の効果】
以上のことから明らかなように、請求項１記載の発明によれば、一の方向に屈曲する両端部を有して成る継鉄と、前記継鉄における両端部間の中央部に巻回されるコイル部と、前記継鉄の両端部間に配置される永久磁石と、前記継鉄の両端部間の長さよりも長めに形成され、前記永久磁石に対して前記一の方向側に配置される接極子と、前記継鉄の両端部に対してそれぞれ前記接極子の両端側を揺動自在にして、前記永久磁石および接極子を一体に固定するヒンジバネとを備え、前記永久磁石と前記接極子との間に突部が設けられ、前記継鉄の両端部間の長さと同程度の長さの板状に形成されて成り、前記永久磁石に対して前記一の方向と逆の方向側に配置される補助継鉄を備え、前記永久磁石は前記継鉄の両端部間の長さよりも短い板状に形成され、前記接極子は、板状に形成され、前記永久磁石との対向面に前記突部を有し、前記ヒンジバネは、前記接極子における前記一の方向側の面に取着される中央部と、この中央部から前記一の方向と逆の方向に延びて前記補助継鉄の両側面にそれぞれ取着されるとともに前記永久磁石を狭持する両側部とを有する形状に形成され、前記永久磁石、接極子および補助継鉄は前記ヒンジバネにより一体に固定されるので、磁気特性の変動が小さくなり、耐衝撃性が向上する。また、感度調整が容易になる。
【００４５】
請求項２記載の発明によれば、一の方向に屈曲する両端部を有して成る継鉄と、前記継鉄における両端部間の中央部に巻回されるコイル部と、前記継鉄の両端部間に配置される永久磁石と、前記継鉄の両端部間の長さよりも長めに形成され、前記永久磁石に対して前記一の方向側に配置される接極子と、前記継鉄の両端部に対してそれぞれ前記接極子の両端側を揺動自在にして、前記永久磁石および接極子を一体に固定するヒンジバネとを備え、前記永久磁石と前記接極子との間に突部が設けられ、前記継鉄の両端部間の長さと同程度の長さの板状に形成されて成り、前記永久磁石に対して前記一の方向と逆の方向側に配置される補助継鉄を備え、前記永久磁石は前記継鉄の両端部間の長さよりも短い板状に形成され、前記接極子は、板状に形成され、前記永久磁石との対向面に前記突部を有し、前記ヒンジバネは、前記接極子における前記一の方向と逆の方向側の面に取着される中央部と、この中央部から前記逆の方向に延びて前記補助継鉄の両側面にそれぞれ取着されるとともに前記永久磁石を狭持する両側部とを有する形状に形成され、前記永久磁石、接極子および補助継鉄は前記ヒンジバネにより一体に固定されるので、磁気特性の変動が小さくなり、耐衝撃性が向上する。また、感度調整が容易になる。さらに、永久磁石、接極子および補助継鉄をヒンジバネにより一体に固定して成る接極子ブロックにおける揺動による摩耗を好適に防止することができる。
【００４６】
請求項３記載の発明によれば、請求項１または２記載の電磁リレーにおいて、ボディおよびカバーにより成る器体を備え、前記補助継鉄は前記ボディとの固定部を有するので、組立てが容易になる。
【００４７】
請求項４記載の発明によれば、請求項３記載の電磁リレーにおいて、前記固定部は複数の突起であり、前記ボディには前記各突起が嵌入される溝が形成されているので、組立てが容易になる。
【００４８】
請求項５記載の発明によれば、請求項１〜４のいずれかに記載の電磁リレーにおいて、固定側端子、この固定側端子に締結される板バネ、およびこの板バネに設けられる固定接点により成る固定接点バネブロックと、可動側端子、この可動側端子に締結される板バネ、およびこの板バネに設けられる可動接点により成る可動接点バネブロックと、前記接極子および可動接点バネブロックの双方に取り付けられ、前記接極子の揺動に応じて前記固定接点および可動接点の接離を行うためのカードとを備えるので、磁気特性の変動が小さくなり、耐衝撃性が向上する。また、感度調整が容易になる。
【図面の簡単な説明】
【図１】  本発明の第１実施形態に係る電磁リレーの一部切欠斜視図である。
【図２】  （ａ）〜（ｄ）はそれぞれ図１に示す固定接点バネブロック、可動接点バネブロック、継鉄およびカードの斜視図である。
【図３】  （ａ），（ｂ）はそれぞれ図１に示す接極子ブロックの組立および分解斜視図である。
【図４】  （ａ），（ｂ）はそれぞれ図１に示す電磁石ブロックおよび接極子ブロックを前方および右方から見た図である。
【図５】  （ａ），（ｂ）はそれぞれ図１の一部前面図およびＡ−Ａ線断面図である。
【図６】  補助継鉄にヒンジバネを取り付けるための別の構造例を示す図である。
【図７】  （ａ），（ｂ）はそれぞれ本発明の第２実施形態に係る電磁リレーにおける電磁石ブロックおよび接極子ブロックを前方および右方から見た図である。
【図８】  （ａ），（ｂ）はそれぞれ図８のヒンジバネを前方および右方から見た図である。
【図９】  従来の電磁リレーを示す一部切欠斜視図である。
【図１０】  図９に示す接極子ブロックの平面図である。
【図１１】  図９に示す電磁石ブロックおよび接極子ブロックの平面図である。
【図１２】  図９に示す電磁リレーの不具合の説明図である。
【符号の説明】
１１  固定接点バネブロック
１２  可動接点バネブロック
１３  電磁石ブロック
１４，３４，４４  接極子ブロック
１５  カード
１６  器体
【図１】
0003876576.tif 000002
【図２】
0003876576.tif 000003
【図３】
0003876576.tif 000004
【図４】
0003876576.tif 000005
【図５】
0003876576.tif 000006
【図６】
0003876576.tif 000007
【図７】
0003876576.tif 000008
【図８】
0003876576.tif 000009
【図９】
0003876576.tif 000010
【図１０】
0003876576.tif 000011
【図１１】
0003876576.tif 000012
【図１２】
0003876576.tif 000013